(57)【要約】      （修正有）【課題】片手で開閉を容易に行えて、しかも所望の開口量を自由に設定できる特にミント粒、キャンディ、薬剤等の粒状物に適した携帯用の容器を提供する。【解決手段】容器本体２と、これに対してスライド可能に嵌合する外蓋と、容器本体に嵌合する内蓋４とを具え、外蓋に対して容器本体をスライドさせて容器本体を露出させて内蓋の孔部５から粒状又は粉状の内容物の小出しを可能にしたポケッタブル容器であって、容器本体は底部と底部から立設される一対の側壁および一対の端部壁を有し、外蓋は表面部と互いに対向する一対の側壁と端部壁を有し、容器本体は外蓋の両側壁の間に抱持されて、内蓋孔部の外蓋による開閉は容器本体を外蓋に対して制御装置に規制されるスライド走行により行われる。制御装置は、外蓋側壁の内側に形成した突起と、容器本体の側壁外側に突起を嵌合する溝部６と、溝部両端に形成した第１および第２のストッパー突起とからなる。【選択図】図２
0003215841.tif 000002
【実用新案登録請求の範囲】
【請求項１】
容器本体と、これに対してスライド可能に嵌合する外蓋と、容器本体に嵌合する内蓋とを具え、外蓋に対して容器本体をスライドさせて容器本体を露出させて内蓋の孔部から粒状又は粉状の内容物の小出しを可能にしたポケッタブル容器であって、容器本体は底部とこの底部から立設される一対の側壁および一対の端部壁を有し、前記外蓋は表面部と互いに対向する一対の側壁と端部壁を有し、容器本体は外蓋の両側壁の間に抱持されて、前記内蓋における孔部の外蓋による開閉は容器本体を外蓋に対して制御装置に規制されるスライド走行により行うようにしたことを特徴とするポケッタブル容器。                                                                  
【請求項２】
請求項１記載のポケッタブル容器において、前記制御装置は、外蓋の一対の側壁の内側に形成した突起と、容器本体の側壁外側に前記突起を嵌合して突起が水平方向に走行できる溝部と、この溝部の両端に形成される第１および第２のストッパー突起とにより構成し、容器本体の移動により前記突起が前記第１ストッパー突起を乗り越えて溝部をスライドするにつれ前記内蓋の孔部が開き始め、前記突起が前記第２ストッパー突起を乗り越えて停止した固定されたところで前記孔部は全開状態になるようにしたことを特徴とするポケッタブル容器。
【考案の詳細な説明】
【技術分野】
【０００１】
本願考案は、ミント、キャンディのような菓子類のポケッタブル容器に関し、詳しくは、容器本体と蓋体からなり蓋体の開閉を蝶番ではなく蓋体をスライドさせるようにして開閉を容易にして菓子類の出し入れがしやすい携帯に便利な携帯用小型容器に関するものである。
【背景技術】
【０００２】
従来の菓子類のための小型容器は種々知られている。これらは、キャンディ、ミント類、薬剤その他、小粒状のものあるいは他の小物類を収納して携帯するタイプのものである。
しかしながら、その多くは、蓋体がヒンジにより開閉し携帯時に片手の状態で収納物を簡単に取り出せるものがなく、又、ポケットに入れて携帯する場合にかさばってしまい不便である。
なお、本願考案と関連する技術が次の文献において開示されている。
【特許文献１】実用新案登録第３０４７０７８号公報
【考案の開示】
【考案が解決しようとする課題】
【０００３】
本願考案の目的ないし課題は、簡単に開閉でき、しかも蓋の開口量を容易に調節できて内容物の所望量を適正に取り出すことができ、しかも携帯時に衣服に収納または装着してもかさばらない携帯用小型容器の提供にある。
【課題を解決するための手段】
【０００４】
本願考案は、容器本体と、これに対してスライド可能に嵌合する外蓋と、容器本体に嵌合する内蓋とを具え、外蓋に対して容器本体をスライドさせて容器本体を露出させて内蓋の孔部から粒状又は粉状の内容物の小出しを可能にしたポケッタブル容器であって、容器本体は底部とこの底部から立設される一対の側壁および一対の端部壁を有し、前記外蓋は表面部と互いに対向する一対の側壁と端部壁を有し、容器本体は外蓋の両側壁の間に抱持されて、前記内蓋における孔部の外蓋による開閉は容器本体を外蓋に対して制御装置に規制されるスライド走行により行うようにしたポケッタブル容器の実現により、上記課題を解決する。
【０００５】
また、上記のポケッタブル容器において、前記制御装置は、外蓋の一対の側壁の内側に形成した突起と、容器本体の側壁外側に前記突起を嵌合して突起が水平方向に走行できる溝部と、この溝部の両端に形成される第１および第２のストッパー突起とにより構成し、容器本体の移動により前記突起が前記第１ストッパー突起を乗り越えて溝部をスライドするにつれ前記内蓋の孔部が開き始め、前記突起が前記第２ストッパー突起を乗り越えて停止した固定されたところで前記孔部は全開状態になるポケッタブル容器を提供する。                                                                      
【考案の効果】
【０００６】
本願考案にあっては、いつでもどこでもキャンディ、ミントその他を容易にとりだすことができる。また、スライド量により蓋体の開口量を簡単に調節することができる。さらに、全体として薄型に形成できるのでポケット類への収納時にもかさばることがない。
【実施例】
【０００７】
次に、図面により本願考案の１実施例を説明する。  図１は、ポケッタブル容器１の斜視図であり、容器本体２と、これに対してスライド可能に嵌合する外蓋３と、容器本体２に嵌合する内蓋４（図１では不図示）とを具え、外蓋３に対して容器本体２を矢符A方向にスライドさせて容器本体２を露出させることにより内蓋４の孔部から粒状又は粉状の内容物の小出しが可能になっている。                                            
【０００８】
図２は、容器本体２の斜視図であり、底部から立設される一対の側壁２１，２１および一対の端部壁２２，２２が形成され、内部には内蓋４が嵌合され、内蓋４は、粒状又は粉状の内容物の小出しを可能にする孔部５を有している。  そして、容器本体２の前記側壁２１，２１の双方には、溝部６が形成され、その両端には、第１ストッパー突起６aおよび第２ストッパー突起６bとがそれぞれ形成されている。  溝部６、第１ストッパー突起６a、第２ストッパー突起６b等により後述のように、前記内蓋４における孔部５の外蓋３による開閉のための容器本体２のスライド走行を規制する制御装置が構成されている。                                                                                        
【０００９】
図３は、図２における前記溝部６の端部のB-B線に示す断面図である。  図４は図２におけるC-C線における断面図で、第２ストッパー突起６ｂの断面を示している。  図５は、図２におけるD-D線断面図で、前記溝部６の断面を示している。  図６は図２におけるE-E線断面図で、第１ストッパー突起６aの断面を示している。                  
【００１０】
図７は、前記外蓋３の斜視図で、この外蓋３は表面部３aと互いに対向する一対の側壁3ｂ、３ｂと端部壁３ｃを有している。  そして、前記一対の側壁3ｂ、３ｂの内側すなわち、容器本体の２の側壁２１，２１と対向・当接する面には突起３dが突出形成されている。                                                                                                  
【００１１】
図８は、図７におけるF-F線断面図で、前記突起３dの形状を示しており、図示のように突起３dは側壁３ｂにおいて内方に突出して形成されている。  なお、図７、図８において、3e,3eは、側壁３ｂ、３ｂの下端で内方に突出形成された棚桟で、外蓋３に嵌合される容器本体２の底部に当接して容器本体２を抱持するようになっている。          
【００１２】
前述した溝部６、第１ストッパー突起６a、第２ストッパー突起６b、突起3dにより前記制御装置が構成されている。  前記内蓋４における孔部５の外蓋３による開閉は容器本体２を外蓋３に対してスライドさせる（図１において左方へ）ことにより実行するが、前記制御装置は、このスライド走行の始点、終点において容器本体２と外蓋３の位置取りならびに走行を適正に規制する機能を有するものである。                
【００１３】
図１において、外蓋３は容器本体２の開口部を全面的に覆っており、内蓋４の孔部５も閉じられている。  この状態で、外蓋３の突起３ｄ、３ｄは溝部６の端部（図２で左方端）に位置するとともに図２ならびに図４に示す第２ストッパ―突起６ｂにより固定されている。  この状態から内蓋４の孔部５を開くには、外蓋３を固定しつつ容器本体２を図２において左方に押圧すると、外蓋３の突起３ｄは容器本体の第２ストッパ―突起６ｂを乗り越えて溝部６に嵌合して前記押圧に応じてスライド走行し、突起３ｄは容器本体の第１ストッパ―突起６aに当接してスライド走行は停止される。この状態で、内蓋４の孔部５は全開となり、内部の粒状又は粉状の内容物の小出しが可能になる。  孔部を閉じるには、上記と逆の手順を行えばよい。                                
【００１４】
上記の実施例では、容器本体２、外蓋３、内蓋４の素材をすべて金属材とすることもあるいは樹脂、紙等の素材とすることも、また、一部を金属素材とし一部を前記他の素材とすることも可能である。
【図面の簡単な説明】
【００１５】
【図１】本願考案の１実施例に係るポケッタブル容器の常態を示す斜視図である。
【図２】容器本体２の斜視図である。
【図３】図２における前記溝部６の端部のB-B線に示す断面図である。
【図４】図２におけるC-C線における断面図である。
【図５】図２におけるD-D線断面図である。
【図６】図２におけるE-E線断面図である。
【図７】外蓋３の斜視図である。
【図８】図８は、図７におけるF-F線断面図である。
【符号の説明】
【００１６】
１．．．．．．．ポケッタブル容器
２．．．．．．．容器本体
３．．．．．．．外蓋                                                                                    ３ｄ．．．．．．．突起                                                                              ４．．．．．．．内蓋                                                                          ５．．．．．．孔部                                                                              ６．．．．．．溝部                                                                                        ６a．．．．．．第１ストッパー突起                                                                  ６b．．．．．．第２ストッパー突起
【図１】
0003215841.tif 000003
【図２】
0003215841.tif 000004
【図３】
0003215841.tif 000005
【図４】
0003215841.tif 000006
【図５】
0003215841.tif 000007
【図６】
0003215841.tif 000008
【図７】
0003215841.tif 000009
【図８】
0003215841.tif 000010